(57)【特許請求の範囲】
【請求項１】
左右のサイドフレームの上部側に、上型を備えた上部テーブルを上下動自在に備えると共に、前記左右のサイドフレームの下部側に下型を備えた下部テーブルを備え、前記上部テーブルの上下動位置を検出するための位置検出器本体を支持する検出板の下部を前記サイドフレームの下部又は前記下部テーブルに取付けたプレスブレーキであって、
前記位置検出器は、当該位置検出器の位置検出器本体に備えた垂直なガイド部に検出ヘッドを上下動自在に備え、前記上部テーブルの上面に当接する当接部材を前記検出ヘッドに備えた構成であり、
前記サイドフレームに備えた支持ブラケットに、前記位置検出器本体を垂直状態にかつ上下動自在に支持して設け、
前記検出ヘッドに備えた前記当接部材を、前記上部テーブルの上面に当接すると共に、前記検出板の上面に前記位置検出器本体を当接して、前記位置検出器本体の重量を、前記検出板によって支持した構成であることを特徴とするプレスブレーキ。
【請求項２】
請求項１に記載のプレスブレーキにおいて、前記位置検出器本体は付勢手段によって下方向へ付勢してあることを特徴とするプレスブレーキ。
【発明の詳細な説明】
【技術分野】
【０００１】
本発明は、上部テーブル（ラム）が上下動する形式のプレスブレーキに係り、さらに詳細には、ラムの上下動位置を検出するための位置検出器本体を検出板から分離して備えたプレスブレーキに関する。
【背景技術】
【０００２】
よく知られているように、プレスブレーキはＣ形状の左右のサイドフレームを備えており、この左右のサイドフレームの下部側には、下型を支持する下部テーブルが備えられている。また、左右のサイドフレームの上部側には、上型を支持する上部テーブル（ラム）が上下動自在に備えられている。そして、前記下部テーブル又は左右のサイドフレームの下部側に下端部側を固定したＣ形状の検出板が備えられており、この検出板の自由端側である上端部側には、前記ラムの上下動位置を検出するためのリニアスケールなどの位置検出器が備えられている（例えば特許文献１参照）。
【先行技術文献】
【特許文献】
【０００３】
【特許文献１】特開２００５−３１９４８９号公報
【発明の概要】
【発明が解決しようとする課題】
【０００４】
前記特許文献１に記載のプレスブレーキの構成は図２に示すごとき構成である。すなわち、プレスブレーキ１は、左右のＣ形状のサイドフレーム３Ｌ，３Ｒを備えており、この左右のサイドフレーム３Ｌ，３Ｒの下部側には、下型５を上部に着脱交換自在に備えた下部テーブル７が備えられている。そして、前記サイドフレーム３Ｌ，３Ｒの上部側には、上型９を備えた上部テーブル（ラム）１１が上下動自在に備えられている。前記上部テーブル１１を上下動するために、前記左右のサイドフレーム３Ｌ，３Ｒの上部には、例えば油圧シリンダなどのごとき上下作動装置１３が備えられている。
【０００５】
上下方向の基準位置に対する前記上部テーブル１１、上型９の上下動位置を検出するために、前記左右のサイドフレーム３Ｌ，３Ｒの下部又は下部テーブル７に一端部を固定したＣ形状の検出板１５が備えられている。そして、この検出板１５における上部の自由端には、位置検出器１７が装着してある。前記位置検出器１７は、例えばリニアスケールなどから成るものであって、位置検出器本体１９は前記検出板１５の自由端に垂直に装着してある。
【０００６】
前記位置検出器１７における検出ヘッド２１は前記位置検出器本体１９に備えた垂直なガイド部２３に上下動自在に備えられている。そして、前記検出ヘッド２１には、下端部が上部テーブル１１の適宜上面に当接した当接部材２５が備えられている。
【０００７】
したがって、上下作動装置１３を作動して上部テーブル１１を上下動すると、当接部材２５を介して検出ヘッド２１は上部テーブル１１の上下動に追従して上下動することとなり、上下方向の基準位置からの上部テーブル１１の移動位置を位置検出器１７によって検出することができるものである。
【０００８】
ところで、前記検出板１５において位置検出器本体１９を支持した部分は、位置検出器本体１９を垂直に保持するために、上下方向の幅寸法を大きく構成してある。前記上下方向の幅寸法を小さくした場合には、位置検出器本体１９を垂直に支持するためのブラケットが必要である。すなわち、位置検出器本体１９を垂直に保持するために、前記検出板１５の上部側が重くなり易いものである。したがって、検出板１５に振動を生じ易く、さらなる改善が望まれていた。
【課題を解決するための手段】
【０００９】
本発明は、前述のごとき問題に鑑みてなされたもので、左右のサイドフレームの上部側に、上型を備えた上部テーブルを上下動自在に備えると共に、前記左右のサイドフレームの下部側に下型を備えた下部テーブルを備え、前記上部テーブルの上下動位置を検出するための位置検出器本体を支持する検出板の下部を前記サイドフレームの下部又は前記下部テーブルに取付けたプレスブレーキであって、
前記位置検出器は、当該位置検出器の位置検出器本体に備えた垂直なガイド部に検出ヘッドを上下動自在に備え、前記上部テーブルの上面に当接する当接部材を前記検出ヘッドに備えた構成であり、
前記サイドフレームに備えた支持ブラケットに、前記位置検出器本体を垂直状態にかつ上下動自在に支持して設け、
前記検出ヘッドに備えた前記当接部材を、前記上部テーブルの上面に当接すると共に、前記検出板の上面に前記位置検出器本体を当接して、前記位置検出器本体の重量を、前記検出板によって支持した構成であることを特徴とするものである。
【００１０】
また、前記プレスブレーキにおいて、前記位置検出器本体は付勢手段によって下方向へ付勢してあることを特徴とするものである。
【発明の効果】
【００１１】
本発明によれば、位置検出器本体は、サイドフレームに備えた支持ブラケットによって垂直に保持されており、検出板は前記位置検出器本体のみを支持するものであるから、検出板の自由端側の軽量化を図ることができると共に、プレスブレーキの振動の影響を受け難くなるものである。
【図面の簡単な説明】
【００１２】
【図１】本発明の実施形態に係るプレスブレーキの主要部分の構成を示す側断面説明図である。
【図２】従来のプレスブレーキの構成を示した側断面説明図である。
【発明を実施するための形態】
【００１３】
以下、図面を用いて本発明の実施形態について説明するに、本発明の実施形態に係るプレスブレーキ１Ａの全体的構成は前記プレスブレーキ１の構成と殆ど同じ構成であるから、全体的構成の詳細な説明は省略し、主要部の構成について説明することとする。なお、本発明の実施形態に係るプレスブレーキ１Ａにおける主要部の構成について説明するに、前記プレスブレーキ１の構成と同一機能を奏する構成要素については同一符号を付することとして重複した説明は省略することとする。
【００１４】
図１を参照するに、本発明の実施形態に係るプレスブレーキ１Ａは、前述したプレスブレーキ１と同様の左右のサイドフレーム３Ｌ，３Ｒを備えている。そして、サイドフレーム３Ｌ，３Ｒの下部側には下型を備えた下部テーブル（図１には図示省略）が備えられており、前記サイドフレーム３Ｌ，３Ｒの上部側には上型９を備えた上部テーブル（ラム）１１が上下動自在に備えられている。そして、前記サイドフレーム３Ｌ，３Ｒの上部には、前記上部テーブル１１を上下動するための上下作動装置１３が備えられている。
【００１５】
前記上部テーブル１１の上下方向の基準位置からの移動位置を検出するために位置検出器１７が備えられている。より詳細には、左右のサイドフレーム３Ｌ，３Ｒの上部には、支持ブラケット２７が固定してあり、この支持ブラケット２７には、位置検出器１７における位置検出器本体１９が垂直に上下動可能に備えられている。すなわち、前記位置検出器本体１９には、当該位置検出器本体１９の長手方向に平行な長孔２９が複数箇所に形成してあり、各長孔２９には、前記支持ブラケット２７に固定したガイドピン３１が相対的に上下動可能に係合してある。
【００１６】
なお、前記位置検出器本体１９を前記支持ブラケット２７に対して垂直に上下動可能に支持する構成において、前記長孔２９とガイドピン３１との関係は相対的なものであり、長孔２９を支持ブラケット２７に形成して、ガイドピン３１を検出器本体１９に備えた構成としてもよいものである。また、リニアガイドを備えた構成であってもよいものである。
【００１７】
前記位置検出器本体１９は、前記支持ブラケット２７に備えたスプリング座３３と前記位置検出器本体１９との間に弾装したスプリングなどのごとき弾性部材３５によって常に下方向へ付勢されている。そして、前記位置検出器本体１９は、前記検出板１５における上部の自由端部１５Ｅの上面に当接支持されている。したがって、前記検出板１５における前記自由端部１５Ｅに作用する荷重は、前記位置検出器１７における位置検出器本体１９の重量と前記弾性部材３５の下方向への付勢力である。そして、前記自由端部１５Ｅが水平方向に微動するような場合には、位置検出器本体１９に対して相対的に微動する。
【００１８】
以上のごとき構成において、下型５上に板状のワークを載置位置決めした後、上下作動装置１３を作動してラム１１を下降すると、当該ラム１１に備えた上型９と下型５との協働によってワークの折曲げ加工が行われる。前述のごとくラム１１を下降すると、位置検出器１７における検出ヘッド２１が同時に下降するので、上下方向の基準位置からのラム１１、上型９の移動位置を検知でき、下型５と上型９との間隔寸法を正確に保持してのワークの折曲げ加工を行うことができるものである。
【００１９】
前述のごとく、ワークの折曲げ加工を行うとき、位置検出器１７における位置検出器本体１９は検出板１５における自由端部１５Ｅに支持されているものであり、前記自由端部１５Ｅと位置検出器本体１９は、相対的に水平方向へ微動可能である。したがって、前記検出板１５が水平方向の振動を受けた場合であっても、位置検出器本体１９に振動を付与するようなことがないものである。よって、ラム１１の上下動位置をより精確に検出することができるものである。
【００２０】
また、前記構成により、検出板１５の上下方向の寸法を、従来の構成に比較して短くすることができると共に上部側の軽量化を図ることができ、振動をより効果的に抑制することができる。
【符号の説明】
【００２１】
１Ａ    プレスブレーキ
３Ｌ，３Ｒ    サイドフレーム
５    下型
７    下部テーブル
９    上型
１１    上部テーブル（ラム）
１５    検出板
１５Ｅ    自由端部
１７    位置検出器
１９    位置検出器本体
２１    検出ヘッド
２５    当接部材
２７    支持ブラケット
２９    長孔
３１    ガイドピン
３３    スプリング座
３５    弾性部材
【図１】
0005932351.tif 000002
【図２】
0005932351.tif 000003